(57)【要約】    【課題】  コマフレアーが少なく、周辺光量の急激な低下が防止された、画面全体にわたり高い光学性能が得られるズームレンズを得ること。    【解決手段】  物体側より像側へ順に、正の屈折力の第１レンズ群、負の屈折力の第２レンズ群、フォーカシングに際して移動する正または負の屈折力のフォーカスレンズ群、正の屈折力のレンズ群Ｌｐを有し、ズーミングに際して各レンズ群が移動するズームレンズであって、前記第２レンズ群を保持する保持鏡筒と、前記フォーカスレンズ群の像側に配置されているフレアーカット絞りが一体的に形成されていることを特徴とするズームレンズ。【選択図】    図３
2013195748.tif 000002
【特許請求の範囲】
【請求項１】
物体側より像側へ順に、正の屈折力の第１レンズ群、負の屈折力の第２レンズ群、フォーカシングに際して移動する正または負の屈折力のフォーカスレンズ群、正の屈折力のレンズ群Ｌｐを有し、ズーミングに際して各レンズ群が移動するズームレンズであって、前記第２レンズ群を保持する保持鏡筒と、前記フォーカスレンズ群の像側に配置されているフレアーカット絞りが一体的に形成されていることを特徴とするズームレンズ。
【請求項２】
前記第２レンズ群の最も像側のレンズ面頂点から前記フレアーカット絞りまでの広角端における光軸上の距離をＤ２ｃ、望遠端において無限遠から至近端へフォーカシングするときの前記フォーカスレンズ群の移動量をＭｆｔ３とするとき、
１．０＜｜Ｄ２ｃ／Ｍｆｔ３｜＜２．０
なる条件式を満たすことを特徴とする請求項１に記載のズームレンズ。
【請求項３】
物体側より像側へ順に、正の屈折力の第１レンズ群、負の屈折力の第２レンズ群、フォーカシングに際して移動する正または負の屈折力のフォーカスレンズ群、正の屈折力のレンズ群Ｌｐを有し、ズーミングに際して各レンズ群が移動するズームレンズであって、前記レンズ群Ｌｐを保持する保持鏡筒と、前記フォーカスレンズ群の物体側に配置されているフレアーカット絞りが一体的に形成されていることを特徴とするズームレンズ。
【請求項４】
前記レンズ群Ｌｐの最も物体側のレンズ面頂点から前記フレアーカット絞りまでの広角端における光軸上の距離をＤｐｃ、望遠端において無限遠から至近端へフォーカシングするときの前記フォーカスレンズ群の移動量をＭｆｔ４とするとき、
１．０＜｜Ｄｐｃ／Ｍｆｔ４｜＜２．０
なる条件式を満たすことを特徴とする請求項３に記載のズームレンズ。
【請求項５】
前記第２レンズ群の最も像側のレンズ面頂点から前記フレアーカット絞りまでの広角端における光軸上の距離をＤ２ｃ、前記レンズ群Ｌｐの最も物体側のレンズ面頂点から前記フレアーカット絞りまでの広角端における光軸上の距離をＤｐｃ、前記フレアーカット絞りの内径をＥａｃ、前記第２レンズ群の像側のレンズ面の内径をＥａ２、前記レンズ群Ｌｐの物体側のレンズ面の内径をＥａｐとするとき、
０．６０＜Ｅａｃ／｛Ｅａｐ＋（Ｅａ２−Ｅａｐ）×Ｄｐｃ／（Ｄｐｃ＋Ｄ２ｃ）｝＜０．９８
なる条件式を満足することを特徴とする請求項１乃至４のいずれか１項に記載のズームレンズ。
【請求項６】
前期保持鏡筒は、複数のレンズ群を保持することを特徴とする請求項１乃至５のいずれか１項に記載のズームレンズ。
【請求項７】
物体側より像側へ順に、正の屈折力の第１レンズ群、負の屈折力の第２レンズ群、負の屈折力の第３レンズ群、正の屈折力の第４レンズ群、正の屈折力の第５レンズ群よりなり、ズーミングに際して各レンズ群が移動するズームレンズであって、
前記第３レンズ群はフォーカシングに際して移動するフォーカスレンズ群であって、前記第２レンズ群を保持する保持鏡筒と、前記第３レンズ群の像側に配置されているフレアーカット絞りが一体的に形成されていることを特徴とするズームレンズ。
【請求項８】
物体側より像側へ順に、正の屈折力の第１レンズ群、負の屈折力の第２レンズ群、正の屈折力の第３レンズ群、負の屈折力の第４レンズ群、正の屈折力の第５レンズ群、正の屈折力の第６レンズ群よりなり、ズーミングに際して各レンズ群が移動するズームレンズであって、
前記第４レンズ群はフォーカシングに際して移動するフォーカスレンズ群であって、前記第５レンズ群を保持する第５保持鏡筒と、前記第４レンズ群の物体側に配置されているフレアーカット絞りが一体的に形成されていることを特徴とするズームレンズ。
【請求項９】
請求項１乃至８のいずれか１項に記載のズームレンズと、該ズームレンズによって形成された像を受光する撮像素子を有することを特徴とする撮像装置。
【発明の詳細な説明】
【技術分野】
【０００１】
本発明は、ズームレンズ及びそれを有する撮像装置に関し、例えば一眼レフカメラ、デジタルスチルカメラ、デジタルビデオカメラ、ＴＶカメラ、監視用カメラ等の撮影光学系に好適なものである。
【背景技術】
【０００２】
近年の一眼レフカメラでは静止画撮影機能とともに動画撮影機能を有すること、動画撮影中にオートフォーカスできることが要望されている。動画を撮影するときのオートフォーカス方式としては、撮像信号中の高周波成分を検出することによって撮影光学系の合焦状態を評価する、高周波検出方式（コントラストＡＦ方式）が多く用いられている。
【０００３】
コントラストＡＦ方式を用いた撮像装置では、フォーカスレンズ群を光軸方向に高速で振動させて（以下、「ウォブリング」という）合焦状態からのズレ方向を検出する。そしてウォブリングの後、撮像センサの出力信号から画像領域の特定の周波数帯の信号成分を検出して、合焦状態となるフォーカスレンズ群の最適位置を算出する。
【０００４】
その後、最適位置にフォーカスレンズ群を移動させて合焦完了となる。フォーカスレンズ群をウォブリング駆動させるには、フォーカスレンズ群を小型軽量化する必要がある。ズームレンズを構成するレンズ群のうち、一部の小型軽量なレンズ群を用いてフォーカシングを行ったズームレンズが知られている（特許文献１、２）。
【０００５】
特許文献１では、正、負、負、正、正の屈折力の第１乃至５群レンズ群よりなるズームレンズにおいて、第３レンズ群でフォーカスを行うズームレンズを開示している。特許文献２では、正、負、正、正、正の屈折力の第１乃至第５レンズ群よりなる５群ズームレンズにおいて、第３レンズ群でフォーカスを行うズームレンズを開示している。
【先行技術文献】
【特許文献】
【０００６】
【特許文献１】特開２００９−２５１１１７号公報
【特許文献２】特開２００９−２５１１１４号公報
【発明の概要】
【発明が解決しようとする課題】
【０００７】
物体側より像側へ順に、正の屈折力の第１レンズ群、負の屈折力の第２レンズ群、そして１以上のレンズ群を含む後続レンズ群よりなるポジティブリード型のズームレンズは、高ズーム比、広画角でレンズ系全体の小型化が容易である。更に、良好な光学性能を得るのが比較的容易なズームタイプである。しかしながら、このズームタイプであって後続レンズ群にウォブリング駆動のフォーカスレンズ群を含むズームレンズでは次のような光学作用を有する。即ち、第２レンズ群と後続レンズ群のレンズ有効径の関係より、中間像高に多くの軸外光束が入射する。
【０００８】
このときの軸外光束は結像に応じて必要以上に多く、この中にはコマフレアーとなる光束が多く含まれている。このコマフレアーが原因となって中間像高の光学性能が低下する傾向があった。また中間像高から画面周辺像高にかけて入射する軸外光束が急に少なくなり、画面中間像高から画面周辺にかけての周辺光量が急に低下し、画像に明暗差が多くなり、観察画像の画質が低下する傾向があった。これらの傾向はフォーカシングに際して多く発生し、全物体距離にわたり良好なる光学性能を得るのが困難であった。
【０００９】
ポジティブリード型のズームレンズにおいて、簡易な構成の下で画面全体にわたり良好なる光学性能を得るには、フレアーカット絞りの構成及びその光軸方向の位置やウォブリング駆動させるフォーカスレンズ群の移動量等を適切に設定することが重要となっている。これらの構成が不適切であると、装置全体の簡素化を図りつつ全物体距離で、かつ画面全体にわたり良好なる光学性能を得るのが困難になる。
【００１０】
本発明は、前述したズームタイプであって、後続レンズ群にウォブリング駆動のフォーカスレンズ群を含むズームレンズにおける前述した課題を解決することができるズームレンズ及びそれを有する撮像装置を提供することを目的とする。
【００１１】
特に本発明は、コマフレアーが少なく、周辺光量の急激な低下が防止された、画面全体にわたり高い光学性能が得られるズームレンズ及びそれを有する撮像装置を提供することを目的とする。
【課題を解決するための手段】
【００１２】
本発明のズームレンズは、物体側より像側へ順に、正の屈折力の第１レンズ群、負の屈折力の第２レンズ群、フォーカシングに際して移動する正または負の屈折力のフォーカスレンズ群、正の屈折力のレンズ群Ｌｐを有し、ズーミングに際して各レンズ群が移動するズームレンズであって、前記第２レンズ群を保持する保持鏡筒と、前記フォーカスレンズ群の像側に配置されているフレアーカット絞りが一体的に形成されていることを特徴としている。
【００１３】
この他、本発明のズームレンズは、物体側より像側へ順に、正の屈折力の第１レンズ群、負の屈折力の第２レンズ群、フォーカシングに際して移動する正または負の屈折力のフォーカスレンズ群、正の屈折力のレンズ群Ｌｐを有し、ズーミングに際して各レンズ群が移動するズームレンズであって、前記レンズ群Ｌｐを保持する保持鏡筒と、前記フォーカスレンズ群の物体側に配置されているフレアーカット絞りが一体的に形成されていることを特徴としている。
【発明の効果】
【００１４】
本発明によれば、コマフレアーが少なく、周辺光量の急激な低下が防止された、画面全体にわたり高い光学性能が得られるズームレンズを実現することができる。
【図面の簡単な説明】
【００１５】
【図１】本発明における実施例１のズームレンズのレンズ断面図
【図２】本発明における実施例１のズームレンズの光線図
【図３】本発明における実施例１のレンズ鏡筒の説明図
【図４】本発明における実施例１の広角端における周辺光量の説明図
【図５】本発明の実施例１の諸収差図
【図６】本発明における実施例２のズームレンズのレンズ断面図
【図７】本発明における実施例２のズームレンズの光線図
【図８】本発明における実施例２のレンズ鏡筒の説明図
【図９】本発明における実施例２の広角端における周辺光量の説明図
【図１０】本発明の実施例２の諸収差図
【図１１】本発明の撮像装置の要部概略図
【発明を実施するための形態】
【００１６】
以下、本発明のズームレンズ及びそれを有する撮像装置の実施例について説明する。本発明のズームレンズは、物体側より像側へ順に、正の屈折力の第１レンズ群、負の屈折力の第２レンズ群を有する。更に第２レンズ群の像側に、フォーカシングに際して移動する正または負の屈折力のフォーカスレンズ群Ｌｆと正の屈折力のレンズ群Ｌｐを有している。フォーカスレンズ群Ｌｆは、コントラストＡＦが行われる場合にウォブリング駆動される。
【００１７】
そして各レンズ群を移動させてズーミングを行う。第２レンズ群を保持する保持鏡筒と、フォーカスレンズ群の像側に配置されているフレアーカット絞りは一体的に形成されている。またはレンズ群Ｌｐを保持する保持鏡筒と、フォーカスレンズ群の物体側に配置されているフレアーカット絞りは一体的に形成されている。
【００１８】
図１は本発明のズームレンズの実施例１の広角端におけるレンズ断面図である。図２は本発明のズームレンズの実施例１の広角端における光路図である。図３は本発明のズームレンズの実施例１に係るレンズ鏡筒の要部概略図である。図４は本発明のズームレンズの実施例１の広角端における各像高における周辺光量比の説明図である。図５（Ａ）、（Ｂ）は本発明のズームレンズの実施例１の無限遠物体に合焦したときの広角端と望遠端における収差図である。
【００１９】
図６は本発明のズームレンズの実施例２の広角端におけるレンズ断面図である。図７は本発明のズームレンズの実施例２の広角端における光路図である。図８は本発明のズームレンズの実施例２に係るレンズ鏡筒の要部概略図である。図９は本発明のズームレンズの実施例２の広角端における各像高における周辺光量比の説明図である。図１０（Ａ）、（Ｂ）は本発明のズームレンズの実施例２の無限遠物体に合焦したときの広角端と望遠端における収差図である。図１１は本発明の撮像装置の要部概略図である。
【００２０】
各実施例のズームレンズはビデオカメラやデジタルカメラそして銀塩フィルムカメラ等の撮像装置に用いられる撮影レンズ系（光学系）である。レンズ断面図において、左方が物体側（前方）で、右方が像側（後方）である。レンズ断面図において、ｉは物体側からのレンズ群の順番を示し、Ｌｉは第ｉレンズ群である。ＳＰは開口絞りである。Ｆｃはフレアーカット絞りである。ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する。
【００２１】
矢印は広角端から望遠端へのズーミングにおける各レンズ群とフレアーカット絞りＦｃと開口絞りＳＰの移動軌跡を示している。フォーカス（Focus）の矢印は、無限遠物体から近距離物体へのフォーカシングに際してのフォーカスレンズ群Ｌｆの移動方向を示している。球面収差図はｄ線（実線）（波長５８７．６ｎｍ）、ｇ線（破線）（波長４３５．８ｎｍ）について示している。非点収差図において破線はｄ線でのメリディオナル像面ΔＭ、実線はｄ線でのサジタル像面ΔＳである。また、歪曲を示す図はｄ線における歪曲を示している。倍率色収差はｇ線について示している。
【００２２】
ＦｎｏはＦナンバー、ωは半画角である。尚、以下の各実施例において広角端と望遠端は変倍用レンズ群が機構上光軸上を移動可能な範囲の両端に位置したときのズーム位置をいう。実施例１のズームレンズの具体的な構成は次のとおりである。
【００２３】
実施例１のズームレンズは、物体側より像側へ順に、正の屈折力の第１レンズ群Ｌ１と、負の屈折力の第２レンズ群Ｌ２と、負の屈折力の第３レンズ群Ｌ３と、正の屈折力の第４レンズ群Ｌ４と、正の屈折力の第５レンズ群Ｌ５よりなっている。広角端から望遠端へのズーミングに際して各レンズ群が物体側へ移動する。第４レンズ群Ｌ４は正の屈折力のレンズ群Ｌｐに相当する。
【００２４】
第３レンズ群Ｌ３は、第２レンズ群Ｌ２とレンズ群Ｌｐとの間に配置されており、フォーカスレンズ群Ｌｆに相当している。第２レンズ群Ｌ２は、無限遠物体から近距離物体へのフォーカシングに際して物体側へ移動すると共に、コントラストＡＦが行われる場合には、フォーカス情報を得るためにウォブリング駆動される。
【００２５】
図３に示すように、第２レンズ群Ｌ２を保持する保持鏡筒ＨＬ２には、保持鏡筒ＨＬ２に一体化され、第３レンズ群Ｌ３（フォーカスレンズ群Ｌｆ）より像側まで延出したフレアーカット絞りＦｃが設けられている。このフレアーカット絞りＦｃは、中間像高に入射してコマフレアーを生じさせる不要の光束をカットしている。また、図４の周辺光量の像高特性が示すように、中間像高域から画面周辺にかけて緩やかに減光すると共に、コマフレアーを良好に軽減している。
【００２６】
実施例２のズームレンズの具体的な構成は、次のとおりである。実施例２のズームレンズは、物体側より像側へ順に、正の屈折力の第１レンズ群Ｌ１と、負の屈折力の第２レンズ群Ｌ２と、正の屈折力の第３レンズ群Ｌ３と、負の屈折力の第４レンズ群Ｌ４と、正の屈折力の第５レンズ群Ｌ５と、正の屈折力の第６レンズ群Ｌ６よりなっている。ズーミングに際して各レンズ群が移動する。
【００２７】
広角端から望遠端へのズーミングに際して第１レンズ群Ｌ１と第３乃至第６レンズ群Ｌ３〜Ｌ６は物体側へ移動し、第２レンズ群Ｌ２は像側へ凸状の軌跡を描いて移動する。第５レンズ群Ｌ５は正の屈折力のレンズ群Ｌｐに相当する。第４レンズ群Ｌ４は第２レンズ群Ｌ２とレンズ群Ｌｐとの間に配置されており、フォーカスレンズ群Ｌｆに相当している。第４レンズ群Ｌ４は、無限遠物体から近距離物体へのフォーカシングに際して物体側へ移動すると共に、コントラストＡＦが行われる場合には、フォーカス情報を得るためにウォブリング駆動される。。
【００２８】
図８に示すように、第５レンズ群Ｌ５を保持する保持鏡筒ＨＬ５には、保持鏡筒ＨＬ５に一体化され、第４レンズ群Ｌ４よりも物体側で更に第３レンズ群Ｌ３より物体側まで延出したフレアーカット絞りＦｃが設けられている。保持鏡筒ＨＬ５を第４レンズ群Ｌ４の物体側まで延出させて、フレアーカット絞りＦｃを第３レンズ群Ｌ３と第４レンズ群Ｌ４の間に配置する構成であっても良い。このフレアーカット絞りＦｃは、中間像高に入射してコマフレアーを生じさせる不要の光束をカットしている。
【００２９】
また、図９の周辺光量の像高特性が示すように、中間像高から画面周辺にかけて緩やかに減光すると共に、コマフレアーを良好に軽減している。
【００３０】
本発明の一例としてのズームレンズは、物体側より像側へ順に、正の屈折力の第１レンズ群Ｌ１、負の屈折力の第２レンズ群Ｌ２を有している。第２レンズ群Ｌ２の像側に正の屈折力のレンズ群Ｌｐを有している。第２レンズ群Ｌ２とレンズ群Ｌｐとの間に、フォーカシングに際して移動する正または負の屈折力のフォーカスレンズ群Ｌｆを有している。図３に示すように、第２レンズ群Ｌ２を保持する保持鏡筒ＨＬ２とフレアーカット絞りＦｃは一体的に形成されている。フレアーカット絞りＦｃはフォーカスレンズ群Ｌｆよりも像側に配置されている。
【００３１】
これにより、ズーミングに際して各レンズ群の移動を制限せずに、また新たな移動機構等を設けることもなく、中間像高へ入射する光束の一部をカットすることができる。第２レンズ群Ｌ２の最も像側のレンズ面頂点からフレアーカット絞りＦｃまでの広角端における光軸上の距離をＤ２ｃとする。望遠端において無限遠から至近端までフォーカシングするときのフォーカスレンズ群Ｌｆの移動量をＭｆｔ３とする。このとき、
１．０＜｜Ｄ２ｃ／Ｍｆｔ３｜＜２．０    ・・・（１）
なる条件式を満足している。なお、至近端とは、フォーカスレンズ群Ｌｆを移動させて至近側にフォーカスしたときに最短の被写体距離が得られるフォーカス位置をいう。
【００３２】
条件式（１）の上限を逸脱すると、保持鏡筒ＨＬ２から、フォーカスレンズ群Ｌｆのフォーカス駆動分よりもレンズ群Ｌｐ側に大きく離れた位置にフレアーカット絞りＦｃが配置される。このため、第２レンズ群Ｌ２とレンズ群Ｌｐの変倍駆動が制限されてしまい、好ましくない。条件式（１）の下限を逸脱すると、フォーカスレンズ群Ｌｆとフレアーカット絞りＦｃが干渉してしまう。より好ましくは条件式（１）の数値範囲を次の如く設定するのが良い。
【００３３】
１．１０＜｜Ｄ２ｃ／Ｍｆｔ３｜＜１．８５      ・・・（１ａ）
この他本発明の一例としてのズームレンズは、物体側より像側へ順に、正の屈折力の第１レンズ群Ｌ１、負の屈折力の第２レンズ群Ｌ２を有している。更に第２レンズ群Ｌ２の像側に正の屈折力のレンズ群Ｌｐを有している。
【００３４】
第２レンズ群Ｌ２とレンズ群Ｌｐとの間に、フォーカシングに際して移動する正または負の屈折力のフォーカスレンズ群Ｌｆを有している。レンズ群Ｌｐを保持するＬｐ保持鏡筒ＨＬ５にはフレアーカット絞りＦｃが設けられている。フレアーカット絞りＦｃは、図８に示すように、フォーカスレンズ群Ｌｆよりも像側の第５レンズ群Ｌ５を保持する保持鏡筒ＨＬ５と一体的に形成されている。これにより、ズーミングに際して各レンズ群の移動を制限せずに、また新たな移動機構等を設けることもなく、中間像高に入射する光束の一部をカットしている。
【００３５】
なお、図８に示す実施例２のズームレンズにおいては、第５レンズ群Ｌ５を保持する保持鏡筒ＨＬ５の一部によって第３レンズ群Ｌ３が保持されており、フレアーカット絞りＦｃと第３レンズ群Ｌ３と第５レンズ群Ｌ５がズーミングに際して一体的に移動する構成である。
【００３６】
レンズ群Ｌｐの最も物体側のレンズ面頂点から、フレアーカット絞りＦｃまでの広角端における光軸上の距離をＤｐｃとする。望遠端において無限遠から至近端までフォーカシングするときのフォーカスレンズ群Ｌｆのの移動量をＭｆｔ４とする。このとき、
１．０＜｜Ｄｐｃ／Ｍｆｔ４｜＜２．０    ・・・（２）
なる条件式を満たしている。
【００３７】
条件式（２）の上限を逸脱すると、Ｌｐ保持鏡筒ＨＬ５からフォーカスレンズ群Ｌｆのフォーカス駆動分よりも第２レンズ群Ｌ２側に大きく離れた位置にフレアーカット絞りＦｃが配置される。このため、第２レンズ群Ｌ２とレンズ群Ｌｐの変倍駆動を制限してしまうので良くない。条件式（２）の下限を逸脱すると、フォーカスレンズ群Ｌｆとフレアーカット絞りＦｃが干渉してくるので良くない。
条件式（２）は、より好ましくは条件式（２ａ）を満たすと良い。
【００３８】
１．１０＜｜Ｄｐｃ／Ｍｆｔ４｜＜１．９５      ・・・（２ａ）
以上のように各実施例によれば、動画対応のウォブリング駆動が可能で小型軽量のフォーカスレンズ群を有し、広角側での中間像高のコマフレアーを軽減し、かつ周辺光量の急激な落ちを簡易な構造で回避することができる。
【００３９】
また各実施例において、フレアーカット絞りＦｃの内径をＥａｃとする。第２レンズ群の像側のレンズ面の内径をＥａ２、レンズ群Ｌｐの物体側のレンズ面の内径をＥａｐとする。このとき、
０．６０＜Ｅａｃ／｛Ｅａｐ＋（Ｅａ２−Ｅａｐ）×Ｄｐｃ／（Ｄｐｃ＋Ｄ２ｃ）｝＜０．９８                                                    ・・・（３）
なる条件式を満足するのが良い。
【００４０】
なお、距離Ｄｐｃ、Ｄ２ｃがズーミングによって変化するときは広角端における値とする。条件式（３）は、第２レンズ群Ｌ２の最も像側のレンズ面の内径と、レンズ群Ｌｐの最も物体側のレンズ面の内径を結ぶ領域よりも、フレアーカット絞りＦｃの内径を内側に設定するための条件式である。条件式（３）の上限値を逸脱すると、中間像高に入射する光束をあまりカットすることが出来ない。条件式（３）の下限値を逸脱すると、中間像高だけでなく、最周辺光量までカットされてしまい、逆に減光が目立ってしまうので良くない。
【００４１】
更に好ましくは条件式（３）の数値範囲を次の如く設定するのが良い。
０．７０＜Ｅａｃ／｛Ｅａｐ＋（Ｅａ２−Ｅａｐ）×Ｄｐｃ／（Ｄｐｃ＋Ｄ２ｃ）｝＜０．９５                                                      ・・・（３ａ）
以上の各実施例においてフレアーカット絞りは、レンズ保持を兼ねているものも含む。
【００４２】
各実施例ではフレアーカット絞りＦｃをレンズ群を保持する保持鏡筒に一体的に設けることにより、独立して設けた場合に比べてレンズ鏡筒構造の簡素化を図っている。特に、各実施例ではフォーカスレンズ群Ｌｆがフォーカシングで移動する分、変倍用のレンズ群が間隔を詰められないことを有効利用し、そのスペースに保持鏡筒ＨＬ２またはＬｐ保持鏡筒ＨＬ５側から、保持鏡筒と一体のフレアーカット絞りＦｃを挿入している。そうすることで、新たな移動機構等を設けなくても、極めて簡易構成でかつ、各レンズ群の移動に制限を与えることなく、中間像高の光束を効果的に軽減している。
【００４３】
これにより、広角側での中間像高から最周辺像高にかけて、周辺光量の落ち方が急激になるのを防止し、その減衰率が大きい箇所において、撮影画像を見たときに、減光が目立ってしまうのを軽減している。
【００４４】
以上により、各実施例では動画対応のウォブリング駆動が可能な小型軽量のフォーカス群を有するポジティブリード型ズームレンズにおいて、広角側での中間像高のコマフレアーを軽減し、かつ周辺光量の急激な落ちを回避している。本発明のズームレンズは、例えば撮像装置、画像投影装置やその他の光学機器に、種々適用できる。
【００４５】
次に実施例１、２に示したズームレンズを撮像装置に適用した実施例を図１１を用いて説明する。本発明の撮像装置はズームレンズを含む交換レンズ装置と、交換レンズ装置とカメラマウント部を介して着脱可能に接続され、ズームレンズが形成する光学像を受光して、電気的な画像信号に変換する撮像素子を含むカメラ本体とを備えている。
【００４６】
図１１は一眼レフカメラの要部概略図である。図１１において、１０は実施例１、２のズームレンズ１を有する撮影レンズである。ズームレンズ１は保持部材である鏡筒２に保持されている。２０はカメラ本体であり、撮影レンズ１０からの光束を上方に反射するクイックリターンミラー３、撮影レンズ１０の像形成位置に配置された焦点板４より構成されている。更に、焦点板４に形成された逆像を正立像に変換するペンタダハプリズム５、その正立像を観察するための接眼レンズ６などによって構成されている。
【００４７】
７は感光面であり、ＣＣＤセンサやＣＭＯＳセンサ等のズームレンズによって形成される像を受光する固体撮像素子（光電変換素子）や銀塩フィルムが配置される。撮影時にはクイックリターンミラー３が光路から退避して、感光面７上に撮影レンズ１０によって像が形成される。各実施例のズームレンズはクイックリターンミラーのないミラーレスの一眼レフカメラにも同様に適用できる。
【００４８】
以下に実施例１、２に対応する数値実施例１、２を示す。各数値実施例においてｉは物体側からの面の順番を示す。数値実施例においてｒｉは物体側より順に第ｉ番目のレンズ面の曲率半径、ｄｉは物体側より順に第ｉ番目のレンズ厚及び空気間隔、ｎｄｉとνｄｉは各々物体側より順に第ｉ番目のレンズの材料の屈折率とアッベ数である。ＢＦはバックフォーカスである。非球面形状は光軸方向にＸ軸、光軸と垂直方向にＨ軸、光の進行方向を正とし、ｒを近軸曲率半径、各非球面係数をＡ４、Ａ６、Ａ８、Ａ１０、Ａ１２としたとき、
【００４９】
【数１】
2013195748.tif 000003
【００５０】
で与えるものとする。各非球面係数において「ｅ−ｘ」は「１０-x」を意味する。また、焦点距離、Ｆナンバー等のスペックに加え、画角は全系の半画角、像高は半画角を決定する最大像高、レンズ全長は第１レンズ面から像面までの距離である。バックフォーカスＢＦは最終レンズ面から像面までの長さを示している。また、各レンズ群データは、各レンズ群の焦点距離、光軸上の長さ、前側主点位置、後側主点位置を表している。また、各光学面の間隔ｄが（可変）となっている部分は、ズーミングに際して変化するものであり、別表に焦点距離に応じた面間隔を記している。
【００５１】
数値実施例１、２の面番号１と数値実施例１の面番号３１は設計上用いたダミー面である。ダミー面はズームレンズを構成するものではない。尚、以下に記載する数値実施例１、２のレンズデータに基づく、各条件式の計算結果を表１に示す。
【００５２】
（数値実施例１）
単位 mm
面データ
面番号       r        d      nd         νd       有効径
1          ∞       1.50                         58.82
2        144.577    2.20   1.84666    23.8       52.66
3         64.345    0.40                         48.44
4         68.942    6.65   1.49700    81.5       48.38
5      -1245.101    0.15                         47.61
6         55.835    5.66   1.77250    49.6       45.88
7        239.074  (可変)                         44.97
8         72.254    1.30   1.83481    42.7       29.51
9         14.229    7.22                         22.24
10        -45.915    1.00   1.77250    49.6       21.82
11         47.843    0.35                         21.21
12         26.891    5.47   1.84666    23.8       21.26
13        -50.672  (可変)                         20.45
14        -27.918    0.90   1.77250    49.6       17.34
15        209.240  (可変)                         16.68
16（Ｆｃ）  ∞      (可変)                         14.29
17（絞り）  ∞        1.00                         14.63
18         33.725    3.30   1.48749    70.2       15.45
19        -35.693    0.15                         15.64
20         24.906    4.61   1.60738    56.8       15.62
21        -22.736    0.80   1.85026    32.3       15.22
22         87.616    1.91                         15.05
23       -221.240    0.80   1.72047    34.7       14.54
24         16.217    2.57   1.84666    23.8       14.49
25         42.128  (可変)                         14.39
26*        60.846    3.75   1.58313    59.4       15.93
27        -30.401    0.15                         16.30
28         64.887    0.90   1.83400    37.2       16.30
29         13.266    4.56   1.66672    48.3       16.03
30         76.745  (可変)                         16.12
31          ∞                                    19.77
【００５３】
非球面データ
第26面
K = 0.00000e+000  A 4=-2.07588e-005  A 6= 2.30959e-008  A 8=-3.87838e-011  A10=-3.65447e-012  A12= 3.40414e-014  
各種データ
ズーム比      7.38 
広角     中間     望遠
焦点距離      18.30    50.00   135.00  
Fナンバー      3.42     4.85     5.86  
画角          36.74    15.28     5.78  
像高          13.66    13.66    13.66  
レンズ全長   130.10   155.80   189.92  
BF            35.40    35.40    35.40  
d 7            1.20    21.40    45.00  
d13            3.01     3.86     7.57  
d15            6.17     5.32     1.61  
d16           19.37     5.46     1.50  
d25            7.22     2.69     1.50  
d30            0.43    24.37    40.02  
ズームレンズ群データ
群  始面    焦点距離  レンズ構成長  前側主点位置  後側主点位置
1    1      90.30        16.56         6.43         -4.44
2    8     -46.90        15.33        -8.34        -25.23
3   14     -31.83         0.90         0.06         -0.45
4   17      40.75        15.14        -5.74        -13.67
5   26      47.12         9.36        -0.39         -5.93
【００５４】
（数値実施例２）
単位 mm
面データ
面番号       r        d      nd         νd       有効径
1          ∞       1.50                         60.02
2        111.698    2.00   1.84666    23.9       52.66
3         55.370    7.65   1.49700    81.5       50.01
4       3384.032    0.15                         49.68
5         53.774    6.23   1.66672    48.3       48.11
6        295.614  (可変)                         47.31
7        152.605    1.45   1.91082    35.3       30.90
8         15.649    7.30                         23.59
9        -48.289    1.20   1.77250    49.6       23.35
10         64.582    0.29                         23.25
11         31.507    6.72   1.84666    23.8       23.64
12        -34.468    1.10   1.77250    49.6       23.08
13        145.612  (可変)                         22.11
14（Ｆｃ） 87.716    1.95   1.78472    25.7       14.57
15        -58.571  (可変)                         14.57
16        -34.608    0.70   1.90366    31.3       14.18
17        579.002  (可変)                         14.45
18         22.161    4.00   1.60311    60.6       16.08
19        -55.101    1.61                         15.76
20（絞り）   ∞       3.30                         14.77
21         30.440    4.91   1.60311    60.6       13.77
22        -17.452    0.75   1.84666    23.8       12.84
23       -494.346    3.07                         12.52
24        -24.672    0.70   1.80000    29.8       11.77
25         13.389    2.54   1.84666    23.8       11.95
26         53.386  (可変)                         12.01
27*        94.305    3.99   1.68893    31.1       15.40
28        -27.400                                 16.47
【００５５】
非球面データ
第27面
K = 0.00000e+000  A 4=-2.62044e-005  A 6= 2.02686e-009  A 8=-4.13481e-011  A10=-7.33645e-012  A12= 7.19025e-014  
各種データ
ズーム比      7.02 
広角     中間     望遠
焦点距離      18.60    51.00   130.50  
Fナンバー      3.48     4.84     5.88  
画角          36.29    14.99     5.98  
像高          13.66    13.66    13.66  
レンズ全長   140.52   160.20   190.00  
BF            35.60    56.40    71.56  
d 6            0.90    21.92    42.41  
d13           26.18     6.70     1.50  
d15            2.83     4.19     8.87  
d17            7.09     5.73     1.05  
d26            4.80     2.15     1.50  
ズームレンズ群データ
群  始面    焦点距離  レンズ構成長  前側主点位置  後側主点位置
1    1      88.69        17.53         5.86         -5.78
2    7     -17.44        18.06         1.34        -11.69
3   14      45.02         1.95         0.66         -0.44
4   16     -36.12         0.70         0.02         -0.35
5   18      37.72        20.89       -21.54        -23.56
6   27      31.24         3.99         1.85         -0.54
【００５６】
【表１】
2013195748.tif 000004
【符号の説明】
【００５７】
Ｌ１  第１レンズ群    Ｌ２  第２レンズ群    Ｌ３  第３レンズ群
Ｌ４  第４レンズ群    Ｌ５  第５レンズ群    Ｌ６  第６レンズ群
Ｌｆ  フォーカシングレンズ群    Ｌｐ  レンズ群    Ｆｃ  フレアーカット絞り
Focus  フォーカシングで移動する群と、その移動方向
【図５】
2013195748.tif 000005
【図１０】
2013195748.tif 000006
【図１】
2013195748.tif 000007
【図２】
2013195748.tif 000008
【図３】
2013195748.tif 000009
【図４】
2013195748.tif 000010
【図６】
2013195748.tif 000011
【図７】
2013195748.tif 000012
【図８】
2013195748.tif 000013
【図９】
2013195748.tif 000014
【図１１】
2013195748.tif 000015